(57)【要約】【課題】室外機用電装箱の内部で火災が発生した場合でも、その火が開口を介して室外機用電装箱の外に達するのを防止し、室外機ユニットを構成するプラスチック製（樹脂製）の室外ファンや、フィンガードあるいはファンガード等への延焼を防止すること。【解決手段】空気調和機の室外機ユニット３０内に設けられ、板金製の筐体５１，５２内に室外機ユニット３０の運転を制御する電子部品が収納される室外機用電装箱５０であって、前記筐体５１，５２の正面を構成する側壁部に作業用の開口５５が設けられ、この開口５５の少なくとも半分以上を閉塞するとともに、前記筐体５１，５２に対して着脱可能に構成された板金製の蓋体５８を設けるようにした。【選択図】図２
2011058706.tif 000002
【特許請求の範囲】
【請求項１】
空気調和機の室外機ユニット内部に設けられ、板金製の筐体内に室外機ユニットの運転を制御する電子部品が収納される室外機用電装箱であって、
前記筐体の正面を構成する側壁部に作業用の開口が設けられ、この開口の少なくとも半分以上を閉塞するとともに、前記筐体に対して着脱可能に構成された板金製の蓋体を備えていることを特徴とする室外機用電装箱。
【請求項２】
前記蓋体の外側表面に、着脱作業時に作業者が把持する把持部が設けられていることを特徴とする請求項１に記載の室外機用電装箱。
【請求項３】
屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットであって、
前記室外機用電装箱が、請求項１または２に記載の室外機用電装箱であり、
前記室外ファンが前記室外機用電装箱の対向壁部側の斜め下方に配置されるとともに、前記室外ファンの上方に位置する羽根が前記室外機用電装箱側へ回るように回転駆動されることを特徴とする室外機ユニット。
【請求項４】
屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットであって、
前記室外機用電装箱が、請求項１または２に記載の室外機用電装箱であり、
前記蓋体の外側表面に、当該室外機ユニットの内部に設けられたバッフルプレートと協働して、当該室外機ユニットの内部空間を２つに分ける遮風板が設けられており、
前記室外ファンが前記室外機用電装箱の対向壁部側の斜め下方に配置されるとともに、前記室外ファンの上方に位置する羽根が前記室外機用電装箱側へ回るように回転駆動されることを特徴とする室外機ユニット。
【請求項５】
屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットと、
前記室内熱交換器と、屋内の空気を循環させる室内ファンとを備えた空気調和機であって、
前記室外機ユニットが、請求項３または４に記載の室外機ユニットであることを特徴とする空気調和機。
【発明の詳細な説明】
【技術分野】
【０００１】
本発明は、空気調和機の室外機ユニットの内部に収容される室外機用電装箱に関するものである。
【背景技術】
【０００２】
従来の空気調和機の室外機ユニットには、商用交流電源をコンバータ部で一旦直流に整流し、再度インバータ部で可変電圧、可変電流の交流に変換して誘導電動機や直流ブラシレスモータなどによる圧縮機モータの駆動を制御するインバータ制御回路装置が設けられている。
このインバータ制御回路装置は、ノイズフィルタ、ダイオードスタック、各種のコンデンサ等の電子部品から構成され、これら電子部品は基板に実装され、電子部品が実装された基板は室外機ユニット内の室外機用電装箱に収納されている。
【０００３】
インバータ制御回路に電流が流されると、各電子部品から熱が放出され室外機用電装箱内は高温となり、さまざまな不具合を起こす恐れがあった。そこで、室外機外の空気を室外機用電装箱内に導入する吸入口および室外機用電装箱外へ排出する排出口を設け、室外ファンによる吸引効果を用いて室外機外の空気を室外機用電装箱内に導入し、各電子部品を冷却する方法が提案されている（例えば、特許文献１参照。）。
【先行技術文献】
【特許文献】
【０００４】
【特許文献１】特開２００４−３０１４７７号公報
【発明の概要】
【発明が解決しようとする課題】
【０００５】
また、上記特許文献１に開示された収納箱（下部筐体）５１の正面を構成する側壁部には、各種センサやアクチュエータの配線を基板Ｐに接続するための作業用の大きな開口が設けられている。しかしながら、このような開口を有する室外機用電装箱５０では、電子部品Ｃが発火したとすると、その火が開口を介して室外機用電装箱５０の外に達し、室外機ユニット３０を構成するプラスチック製（樹脂製）の室外ファン３３や、フィンガード３５あるいはファンガード３６等を焼損させるおそれがあった。
【０００６】
本発明は、上記の事情に鑑みてなされたもので、室外機用電装箱の内部で火災が発生した場合でも、その火が開口を介して室外機用電装箱の外に達するのを防止することができ、室外機ユニットを構成するプラスチック製（樹脂製）の室外ファンや、フィンガードあるいはファンガード等への延焼を防止することができる室外機用電装箱を提供することを目的とする。
【課題を解決するための手段】
【０００７】
本発明は、上記課題を解決するため、以下の手段を採用した。
本発明に係る室外機用電装箱は、空気調和機の室外機ユニット内部に設けられ、板金製の筐体内に室外機ユニットの運転を制御する電子部品が収納される室外機用電装箱であって、前記筐体の正面を構成する側壁部に作業用の開口が設けられ、この開口の少なくとも半分以上を閉塞するとともに、前記筐体に対して着脱可能に構成された板金製の蓋体を備えている。
【０００８】
本発明に係る室外機用電装箱によれば、作業用の開口の大半が板金製の蓋体によって覆われることになるので、万が一、室外機用電装箱内の電子部品が発火した場合でも、その火が開口を介して室外機用電装箱の外に達することを防止することができる。
【０００９】
上記室外機用電装箱において、前記蓋体の外側表面に、着脱作業時に作業者が把持する把持部が設けられているとさらに好適である。
【００１０】
このような室外機用電装箱によれば、蓋体の着脱作業時、作業者は把持部を持って作業することになるので、作業を容易に行うことができ、作業効率を向上させることができる。
【００１１】
本発明に係る室外機ユニットは、屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットであって、前記室外機用電装箱が、上記室外機用電装箱であり、前記室外ファンが前記室外機用電装箱の対向壁部側の斜め下方に配置されるとともに、前記室外ファンの上方に位置する羽根が前記室外機用電装箱側へ回るように回転駆動される。
【００１２】
本発明に係る室外機ユニットは、屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットであって、前記室外機用電装箱が、請求項１または２に記載の室外機用電装箱であり、前記蓋体の外側表面に、当該室外機ユニットの内部に設けられたバッフルプレートと協働して、当該室外機ユニットの内部空間を２つに分ける遮風板が設けられており、前記室外ファンが前記室外機用電装箱の対向壁部側の斜め下方に配置されるとともに、前記室外ファンの上方に位置する羽根が前記室外機用電装箱側へ回るように回転駆動される。
【００１３】
本発明に係る室外機ユニットによれば、蓋体の外側表面に、当該室外機ユニットの内部に設けられたバッフルプレートと協働して、当該室外機ユニットの内部空間を２つに分ける遮風板が設けられているので、筐体の構成の簡略化を図ることができ、部品点数を低減させることができて、製造コストを低減させることができる。
【００１４】
本発明に係る空気調和機は、屋外の空気と冷媒との間で熱交換を行う室外熱交換器と、該室外熱交換器に屋外の空気を送風する室外ファンと、該室外熱交換器または屋内の空気と冷媒との間で熱交換を行う室内熱交換器に高温高圧の冷媒を送出する圧縮機と、前記室外熱交換器および前記圧縮機の動作制御を行う電子部品と、該電子部品を収納する室外機用電装箱とを備えた室外機ユニットと、前記室内熱交換器と、屋内の空気を循環させる室内ファンとを備えた空気調和機であって、前記室外機ユニットが、上記室外機ユニットとされている。
【００１５】
本発明にかかる室外機ユニットまたは空気調和機によれば、作業用の開口の大半が板金製の蓋体によって覆われた室外機用電装箱を備えており、万が一、室外機用電装箱内の電子部品が発火した場合でも、その火が蓋体によって遮られることになるので、室外機ユニットを構成するプラスチック製（樹脂製）の室外ファンや、フィンガードあるいはファンガード等への延焼を防止することができる。
【発明の効果】
【００１６】
本発明に係る室外機用電装箱によれば、室外機用電装箱の内部で火災が発生した場合でも、その火が開口を介して室外機用電装箱の外に達するのを防止することができ、室外機ユニットを構成するプラスチック製（樹脂製）の室外ファンや、フィンガードあるいはファンガード等への延焼を防止することができるという効果を奏する。
【図面の簡単な説明】
【００１７】
【図１】本発明の一実施形態に係る空気調和機の斜視図である。
【図２】本発明の一実施形態に係る室外機ユニットの斜視図である。
【図３】本発明の一実施形態に係る室外機用電装箱の正面図である。
【図４】図３に示す蓋体の斜視図である。
【図５】図３と同様の図であって、蓋体を取り外した状態を示す図である。
【図６】本発明の他の実施形態に係る室外機用電装箱を構成する蓋体の斜視図である。
【発明を実施するための形態】
【００１８】
以下、本発明の一実施形態について、図１から図５を参照しながら説明する。
図１は本発明に係る空気調和機の一実施形態を示す斜視図、図２は本発明に係る室外機ユニットの一実施形態を示す斜視図、図３は本発明に係る室外機用電装箱の一実施形態を示す正面図、図４は図３に示す蓋体の斜視図、図５は図３と同様の図であって、蓋体を取り外した状態を示す図である。
【００１９】
空気調和機１０は、図１に示すように、室内機ユニット２０と、室外機ユニット３０とを備えている。これら室内機ユニット２０および室外機ユニット３０は、冷媒が導通する冷媒配管４０や、図示しない電気配線等により接続されている。冷媒配管４０は２本備えられており、冷媒は、一方において室内機ユニット２０から室外機ユニット３０へ、また他方において室外機ユニット３０から室内機ユニット２０へと流れることになる。
【００２０】
室内機ユニット２０は、背面のベース（図示せず）と前面パネル２１とが一体に構成されたものになっている。ベースには、プレートフィンチューブ型の室内熱交換器２２、略円筒形状のクロスフローファン（室内ファン）２３、室内機ユニット２０の動作制御等を行う各種電気回路素子から構成されたコントロール部２４等の各種機器が備えられている。
【００２１】
前面パネル２１には、吸込グリル部２１ａが前面および上面のそれぞれに形成されている。室内の空気は、これら吸込グリル部２１ａにより多方向から室内機ユニット２０内に吸い込まれるようになっている。また、吸込グリル部２１ａの背後には、エアフィルタ２１ｂが備えられており、吸い込まれた空気等の粉塵を取り除く働きをしている。さらに、前面パネル２１には、その下方に吹出口２１ｃが形成されており、ここから暖められた空気、あるいは冷やされた空気が吹き出されるようになっている。なお、この空気吸込みおよび空気吹出しは、クロスフローファン２３が回転することによって行われる。
【００２２】
室外機ユニット３０は、図１または図２に示すように、筐体３１内に室外熱交換器３２、プロペラファン（室外ファン）３３、圧縮機３４、室外機用電装箱（以下、「電装箱」という。）５０等が備えられている。室外機ユニット３０には、略中央に室外機ユニット３０内の空間を２つに分けるバッフルプレート３５が設けられている。室外機ユニット３０の正面視における左側の空間にはプロペラファン３３が配置され、右側の空間には圧縮機３４が配置されている。圧縮機３４の上方には電装箱５０が配置されるとともに、電装箱５０の左端はバッフルプレート３５を越えてプロペラファン３３が配置されている空間に突出するように配置されている。
【００２３】
室外熱交換器３２は、周囲に多数のコルゲートフィンを備えた冷媒配管により構成されており、冷媒と室外気との熱交換を実現させるものである。プロペラファン３３は、室外機ユニット３０を正面から見て右回りに回転して、筐体３１内に前面から背面へと抜ける風を生じさせることにより、新たな空気を常に筐体３１内に取り込んで、熱交換効率の向上を図るために設けられている。
【００２４】
なお、筐体３１の一側面には、室外機ユニット３０の外部の空気を電装箱５０に取り込むための開口部３１ａが設けられている。また、室外熱交換器３２およびプロペラファン３３が外部と向き合う筐体３１の背面および前面には、フィンガード（図示せず）およびファンガード３６がそれぞれ設けられている。フィンガードはコルゲートフィンが外部からの不意の衝撃により破損することがないように設けられているものである。ファンガード３６も、これと同様にプロペラファン３３を外部衝撃から保護することを一つの目的とするとともに、外気に含まれる粉塵などを筐体３１内に取り込ませないことを目的として備えられているものである。
【００２５】
圧縮機３４は、低温低圧の気体冷媒を高温高圧の気体冷媒に変換して吐出するものであり、冷媒回路を構成する部品の中では最も中心的な働きを担うものである。ここで、冷媒回路とは、この圧縮機３４に加えて、室内熱交換器２２、室外熱交換器３２、冷媒配管４０、膨張弁および冷媒の流れ方向を規定する四方弁（膨張弁および四方弁は図示せず）等から概略構成され、冷媒を室内機ユニット２０と室外機ユニット３０との間で循環させる回路である。
【００２６】
電装箱５０は、図２、図３、図５のいずれかに示すように、圧縮機３４を駆動制御する図示しない電子部品（例えば、電解コンデンサ等）を実装した基板（図示せず）を納める板金製の収納箱（下部筐体）５１と、同じく板金製のフタ（上部筐体）５２と、収納箱５１の内部に収められて、空気の排出流路（図示せず）を形成するプラスチック製（樹脂製）の誘導壁部（図示せず）とを備えている。また、基板には、圧縮機３４の運転を制御するための電子部品が実装され、熱を発生する電子部品（例えば、電解コンデンサ等）の熱を電装箱５０外部へ放出する放熱板を有した冷却フィンＦが設けられている。
【００２７】
収納箱５１には、その正面視において右側に位置する右側壁部に電装箱５０内に流入する空気の吸入口５３が設けられており、吸入口５３に対向する左側壁部の側に位置して収納箱５１の底面を構成する底部に、吸入口５３から流入した空気の排出口５４が設けられている。また、収納箱５１には、その正面視において手前側に位置する側壁部に作業用の開口５５が設けられている。
【００２８】
吸入口５３は、吸入口５３の設けられた側壁部の略中央よりも室外機ユニット３０の背面側、かつ、略中央よりも上方に設けられ、凹形状に形成されている。また、吸入口５３の設けられた側壁部の外側には、吸入口５３の下端から斜め下外方向に延在し、室外機ユニット３０の開口部３１ａの下端と係合する傾斜板５６が設けられている。傾斜板５６は、開口部３１ａから電装箱５０に流入する空気を吸入口５３へ誘導するものである。
【００２９】
各排出口５４（すなわち、排気流路の出口）には、プロペラファン３３の回転方向に沿って延びるとともに、プロペラファン３３から飛散した水滴や粉塵等が、排出口５４を介して収納箱５１内に進入しないよう、吸入口５３の設けられた側壁部に対向する収納箱５１の側壁部の側から、吸入口５３の設けられた側壁部の側に向かって斜め下方向に延びるルーバー（邪魔板）５７が設けられている。
【００３０】
開口５５は、平面視略ｈ字形状を呈する板金製で、かつ、薄板状の蓋体５８が取り付けられることにより、その大半が塞がれた状態となる。蓋体５８は、平面視矩形状を呈する第１の切欠５９と、平面視略矩形状を呈する第２の切欠６０とを備えており、その周縁部には、必要に応じてヘミング加工（折り返し加工）が施されている。
【００３１】
また、その正面視において右側の下方に位置する周縁部には、蓋体５８を収納箱５１に取り付けたり、あるいは収納箱５１から蓋体５８を取り外す際に作業者によって把持される把持部６１が設けられており、この把持部６１の周縁部にもエミング加工（折り返し加工）が施されている。さらに、その正面視において下側に位置する周縁部には、収納箱５１に取り付けられた際に、蓋体５８と収納箱５１との間に形成される隙間を塞いで、プロペラファン３３から飛散した水滴や粉塵等が、この隙間を介して収納箱５１内に進入することを防止（阻止）する下方ツバ部（舌片部）６２が、その長さ方向全体にわたって設けられている。
【００３２】
さらにまた、その正面視において左側の下方に位置する周縁部近傍には、平面視矩形状を呈するとともに板厚方向に貫通して、収納箱５１の正面（前面）を構成する側壁部（すなわち、その正面視において手前側に位置する側壁部）から外方に向かって突出する爪部６３と掛合する掛合穴６４が設けられている。さらにまた、その正面視において右側の上方に位置する周縁部近傍には、平面視円形状を呈するとともに板厚方向に貫通して、取付用ネジ６５が挿通される貫通穴６６が設けられている。
【００３３】
爪部６３は、収納箱５１の正面を構成する側壁部からその正面視において手前側に向かって垂直に延びる突出部（図示せず）と、この突出部の先端からその正面視において左側に延びるツバ部６７とを備えている。
なお、図３および図５中の符号６８は、バッフルプレート３５の直上に位置する収納箱５１の正面を構成する側壁部に設けられて室外機ユニット３０内の空間を２つに分ける遮風板であり、図５中の符号６９は、取付用ネジ６５の先端部に設けられた雄ネジ部（図示せず）と螺合する雌ネジ部７０を備えたネジ穴である。
【００３４】
つぎに、上記の構成からなる空気調和機１０の作用について、暖房運転時および冷房運転時の場合に分けながら説明する。
まず、暖房運転時には、圧縮機３４で高温高圧となった気体冷媒は、図１に示すように、冷媒配管４０を通り室内機ユニット２０の室内熱交換器２２に圧送される。室内機ユニット２０内では、クロスフローファン２３により吸込グリル部２１ａから取り込まれた室内気に対して、室内熱交換器２２を流過する高温高圧の冷媒から熱が与えられる。このことにより、吹出口２１ｃから温風が吹き出されることになる。また同時に、高温高圧の気体冷媒は、室内熱交換器２２において凝縮液化して高温高圧の液冷媒となる。
【００３５】
この高温高圧の液冷媒は、室外機ユニット３０の室外熱交換器３２に送られる途中で、膨張弁により減圧され低温低圧の液冷媒となる。室外機ユニット３０では、プロペラファン３３により筐体３１内に取り込まれた新しい室外気から、室外熱交換器３２を流過する低温低圧の液冷媒が熱を奪うことになる。低温低圧の液冷媒は、熱を奪うことにより蒸発気化して低温低圧の気体冷媒となる。これが再び圧縮機３４に送出され、上記過程を繰り返すことになる。
【００３６】
冷房運転時には、冷媒は上記とは逆方向に冷媒回路中を流れる。すなわち、圧縮機３４で高温高圧とされた気体冷媒が、冷媒配管４０を通過して室外熱交換器３２に圧送され、ここで室外気に熱を奪われて凝縮液化し高温高圧の液冷媒となる。この高温高圧の液冷媒は、膨張弁により減圧されて低温低圧の液冷媒となり、再び冷媒配管４０を通って室内熱交換器２２に送られる。低温低圧の液冷媒は、ここで室内機から熱を奪って吹出口２１ｃから冷風を吹出すとともに、冷媒自身は蒸発気化して低温低圧の気体冷媒となる。これが再び圧縮機３４に送出され、上記過程を繰り返すことになる。
【００３７】
上記の暖房運転、冷房運転のいずれの場合においても、図２、図３、図５のいずれかに示すように、室外機ユニット３０内ではプロペラファン３３が回転し、室外機ユニット３０の前面から背面へ空気を流している。プロペラファン３３が配置されている筐体３１とバッフルプレート３５で囲われた空間内には、電装箱５０の放熱フィンＦが露出していて、放熱フィンＦの周りにもプロペラファン３３により空気が流れている。放熱フィンＦはこの空気の流れにより熱を奪われ、電解コンデンサからの熱を放出する。
プロペラファン３３が配置されている空間内には空気が流れているので、その空間内における空気の圧力は、室外機ユニット３０外側周りの空気の圧力よりも低くなる。この圧力の差により、室外機ユニット３０外側の空気は、開口部３１ａから吸入口５３を経て電装箱５０内に流入され、排気流路５３の入口、排気流路、排出口５７を通って、電装箱５０外に流出される。
【００３８】
吸入口５３から電装箱５０内に流入された空気は、電装箱５０内を一様に広がりながら吸入口５３に対向した排気流路の入口に向かって流れ、電装箱５０内に収められた電解コンデンサ等の電子部品から熱を奪って冷却し、排気流路の入口に流入する。排気流路の入口から排気流路内に流入した空気は、排出口５７を通って電装箱５０の外、すなわち、プロペラファン３３が配置された空間内に排出される。
【００３９】
また、プロペラファン３３に水滴が付着した状態（例えば、雨天時）で、空気調和機１０が運転されプロペラファン３３が回転すると、プロペラファン３３に付着した水滴は、遠心力によりプロペラファン３３の半径方向外側からプロペラファン３３の回転方向に傾いた方向に飛ばされる。
遠心力により飛ばされた水滴の一部は、プロペラファン３３の斜め右上方に位置する電装箱５０の、吸入口５３の設けられた側壁部に対向する収納箱５１の側壁部および／またはルーバー５７に衝突し、この側壁部および／またはルーバー５７をつたって下方へ落下する。
【００４０】
本実施形態に係る電装箱５０によれば、作業用の開口５５の大半が板金製の蓋体５８によって覆われることになるので、万が一、室外機用電装箱５０内の電子部品が発火した場合でも、その火が開口５５を介して室外機用電装箱５０の外に達することを防止することができる。
また、本実施形態に係る電装箱５０によれば、蓋体５８の外側表面に、着脱作業時に作業者が把持する把持部６１が設けられており、蓋体５８の着脱作業時、作業者はこの把持部５８を持って作業することになるので、作業を容易に行うことができ、作業効率を向上させることができる。
【００４１】
本発明に係る電装箱の他の実施形態について、図６を参照しながら説明する。図６は本実施形態に係る電装箱を構成する蓋体の斜視図である。
本実施形態に係る電装箱は、その正面視において左側に位置する周縁部がバッフルプレート３５の直上まで延長され、その周縁部の上端から下端にわたって、上述した遮風板６８が設けられている蓋体７８を備えているとともに、収納箱５１の正面を構成する側壁部から遮風板６８が省略された収納箱（図示せず）を備えているという点で上述した第１実施形態のものと異なる。その他の構成要素については上述した第１実施形態のものと同じであるので、ここではそれら構成要素についての説明は省略する。
【００４２】
本実施形態に係る電装箱によれば、蓋体７８の外側表面に、室外機ユニット３０の内部に設けられたバッフルプレート３５と協働して、室外機ユニット３０の内部空間を２つに分ける遮風板６８が設けられているので、収納箱５１の構成の簡略化を図ることができ、部品点数を低減させることができて、製造コストを低減させることができる。
その他の作用効果は、上述した実施形態のものと同じであるので、ここではその説明を省略する。
【００４３】
一方、本実施形態にかかる室外機ユニット３０または空気調和機１０によれば、作業用の開口５５の大半が板金製の蓋体５８，７８によって覆われた室外機用電装箱５０を備えており、万が一、室外機用電装箱５０内の電子部品が発火した場合でも、その火が蓋体５８，７８によって遮られることになるので、室外機ユニット３０を構成するプラスチック製（樹脂製）の室外ファン３３や、フィンガードあるいはファンガード３６等への延焼を防止することができる。
【００４４】
なお、本発明は上述した実施形態に限定されるものではなく、本発明の要旨を逸脱しない範囲で各種変更・変形が可能である。
【符号の説明】
【００４５】
１０  空気調和機
２２  室内熱交換器
３０  室外機ユニット
３２  室外熱交換器
３３  プロペラファン（室外ファン）
３４  圧縮機
３５  バッフルプレート
５０  室外機用電装箱
５１  収納箱（下部筐体）
５２  フタ（上部筐体）
５５  開口
５８  蓋体
６１  把持部
６８  遮風板
７８  蓋体
【図１】
2011058706.tif 000003
【図２】
2011058706.tif 000004
【図３】
2011058706.tif 000005
【図４】
2011058706.tif 000006
【図５】
2011058706.tif 000007
【図６】
2011058706.tif 000008